(57)【要約】【課題】  給湯装置を遠隔操作するリモコン装置に文字放送の受信部を設け、文字放送の受信中はリモコン装置の表示画面に受信中の表示を点滅の形態で表示させる。【解決手段】  文字放送受信操作部４４で文字放送の放送局を選局指定し、文字放送受信部４０に選局した放送局の文字放送を受信させる。受信判定部４７は文字放送受信部４０が正常に受信をできたか否かを判定する。受信状況表示指令部５４は文字放送受信部４０の受信状況を検知し、文字放送の受信開始から受信判定部４７の判定結果が出るまでの受信期間にわたって受信中を示す表示指令を表示制御部４３に加える。この指令を受けて表示制御部４３は表示画面３２に受信中を示す表示媒体を点滅の形態で表示する。【選択図】        図１
2006183964.tif 000002
【特許請求の範囲】
【請求項１】
受信された文字放送の文字情報をメモリに記憶し、そのメモリに記憶された文字情報を表示画面に表示する機能を備えた給湯装置の遠隔操作用のリモコン装置において、文字放送を受信するための操作を行う文字放送受信操作部と、この文字放送受信操作部の操作にしたがって文字放送を受信する文字放送受信部と、前記文字放送受信部の受信状況を検知し文字情報受信部が文字放送の受信中である期間はその受信中であることの表示指令を出力する受信状況表示指令部と、前記表示画面に文字放送の文字情報を表示する表示制御部とを有し、該表示制御部は非点滅表示制御部と点滅表示制御部とを備え、非点滅表示制御部は文字放送の文字情報の表示媒体を前記表示画面に非点滅状態で表示する制御構成を有し、前記点滅表示制御部は、前記受信状況表示指令部からの受信中の表示指令を受けて前記表示画面に文字放送受信中であることを示す表示媒体を点滅表示する制御構成を有することを特徴とするリモコン装置。
【請求項２】
文字放送受信部の受信動作を監視して、文字放送受信部が文字放送受信操作部の操作にしたがった文字放送を受信できたか否かを判定する受信判定部を有し、受信状況表示指令部は前記受信判定部から文字放送を受信ができたとの判定結果を受けたときにはその受信した文字放送の文字情報を表示する指令を表示制御部の非点滅表示制御部に加える構成とした請求項１記載のリモコン装置。
【請求項３】
受信状況表示指令部は受信判定部の判定結果の信号を受け、受信判定部から文字放送を受信できなかったとの受信不可の判定結果の信号を受けたときには表示制御部の非点滅表示制御部又は点滅制御表示制御部に受信不可の表示を指令し、この指令を受けて表示制御部は表示画面に受信不可を示す表示媒体を非点滅又は点滅の形態で表示する構成とした請求項２記載のリモコン装置。
【請求項４】
時間を計測する時計機構を備え、受信判定部は文字放送受信部が文字放送の受信を開始したときを起点とした経過時間を前記時計機構から入手し、その経過時間が予め与えられた設定時間に達しても文字放送受信部が文字放送を受信できていないときには受信不可の信号を受信状況表示指令部に加える構成とした請求項３記載のリモコン装置。
【発明の詳細な説明】
【技術分野】
【０００１】
本発明は例えば浴槽への自動湯張り機能を備えた給湯装置に信号接続されて、給湯装置を遠隔操作するリモコン装置に関するものである。
【背景技術】
【０００２】
給湯装置を遠隔操作するリモコン装置が浴室や、台所に設置され、このリモコン装置の表示画面に給湯や湯張りの設定温度、浴槽水位等の給湯関連情報を表示することは一般に行なわれているが、最近においては、特許文献１〜３等に示されるように、これらの給湯関連情報以外に、ＦＭ文字多重放送等の文字情報を表示画面に表示することが提案されている。このように、リモコン装置の表示画面に文字情報を表示するようにすることにより、ＦＭ文字多重放送等（以下、文字放送という）専用の受信表示画面をリモコン装置とは別個に用意することなく、浴室や台所で、文字放送を楽しむことができることとなる。
【０００３】
【特許文献１】特開２００１−１５７２７４号公報
【特許文献２】特開２００２−１３５８６３号公報
【特許文献３】特開平１０−２２９５８５号公報
【発明の開示】
【発明が解決しようとする課題】
【０００４】
文字放送を受信するためには、リモコン装置に設けた受信操作部を操作して、複数存在する放送局の１つを選局（チューニング）することが必要である。この選局に際し、受信周波数を放送の送信周波数に同期させて受信を開始しても、直ちに文字情報受信ができるとは限らず、電波事情によっては数分（例えば３分）という長い時間を経過した後に受信が達成される場合もある。
【０００５】
受信操作を開始してから受信が完結するまでの間はリモコン装置の表示画面に文字放送の文字情報が表示されないため、利用者に文字放送の受信機能が正常に動作していないのではないかとの不安を与えてしまうという問題が生じる。特に、文字放送は文字情報がデジタル信号の形態で放送局から送信されるため、文字情報を構成する複数の文字データの内の１つでも受信エラー状態になると、放送全体が受信エラーと判定されてしまう。
【０００６】
例えば、ＦＭラジオで音楽を受信して聞くことができても、文字放送はパケットで受けるために、そのうちのいくつかが受信できないと文字を表示することができない。パケット受信率が低いと、文章を構成することができず、表示することができないので、音楽を聞くことができる受信状況であっても文字放送を表示することは難しく、受信エラーとなる。このように、受信エラーが生じるたびに受信動作が繰り返し行われるため、電波の受信環境が適切でない場合には、受信開始してから受信完了までに長い時間がかかることとなり、利用者に上記不安を与えてしまうことになる。
【０００７】
そこで、発明者は、文字放送の受信期間には「受信中です」というようなメッセージをリモコン装置の表示画面に表示させ、利用者に安心感を与える装置を開発することに成功した。
【０００８】
しかしながら、リモコン装置の表示画面にこのような受信中である旨のメッセージを表示させることにより、利用者に表示画面に文字放送の文字情報が表示されないのは、受信が完了されていないためであることを理解してもらうことは可能であるが、「受信中です」という文字が固定的に長い時間にわたって変化せずに表示され続ける場合が生じるために（表示の文字がフリーズ（ｆｒｅｅｚｅ）状態となるために）、その場合には、利用者は、受信を制御するコンピュータ回路が故障したのではないかとの不安を感じてしまうという問題が生じる。
【０００９】
本発明は上記課題を解決するために成されたものであり、その目的は、文字放送の受信中にはその受信中である旨の表示を、フリーズ状態でなく、しかも、簡易な表示構成で行うことが可能なリモコン装置を提供することにある。
【課題を解決するための手段】
【００１０】
本発明は上記目的を達成するために、次の構成をもって課題を解決する手段としている。すなわち、第１の発明は、受信された文字放送の文字情報をメモリに記憶し、そのメモリに記憶された文字情報を表示画面に表示する機能を備えた給湯装置の遠隔操作用のリモコン装置において、文字放送を受信するための操作を行う文字放送受信操作部と、この文字放送受信操作部の操作にしたがって文字放送を受信する文字放送受信部と、前記文字放送受信部の受信状況を検知し文字情報受信部が文字放送の受信中である期間はその受信中であることの表示指令を出力する受信状況表示指令部と、前記表示画面に文字放送の文字情報を表示する表示制御部とを有し、該表示制御部は非点滅表示制御部と点滅表示制御部とを備え、非点滅表示制御部は文字放送の文字情報の表示媒体を前記表示画面に非点滅状態で表示する制御構成を有し、前記点滅表示制御部は、前記受信状況表示指令部からの受信中の表示指令を受けて前記表示画面に文字放送受信中であることを示す表示媒体を点滅表示する制御構成を有することをもって課題を解決する手段としている。
【００１１】
また、第２の発明は、前記第１の発明の構成を備えたものにおいて、文字放送受信部の受信動作を監視して、文字放送受信部が文字放送受信操作部の操作にしたがった文字放送を受信できたか否かを判定する受信判定部を有し、受信状況表示指令部は前記受信判定部から文字放送を受信ができたとの判定結果を受けたときにはその受信した文字放送の文字情報を表示する指令を表示制御部の非点滅表示制御部に加える構成としたことを特徴とする。
【００１２】
さらに、第３の発明は、前記第２の発明の構成を備えたものにおいて、受信状況表示指令部は受信判定部の判定結果の信号を受け、受信判定部から文字放送を受信できなかったとの受信不可の判定結果の信号を受けたときには表示制御部の非点滅表示制御部又は点滅制御表示制御部に受信不可の表示を指令し、この指令を受けて表示制御部は表示画面に受信不可を示す表示媒体を非点滅又は点滅の形態で表示する構成としたことを特徴とする。
【００１３】
さらに、第４の発明は、前記第３の発明の構成を備えたものにおいて、時間を計測する時計機構を備え、受信判定部は文字放送受信部が文字放送の受信を開始したときを起点とした経過時間を前記時計機構から入手し、その経過時間が予め与えられた設定時間に達しても文字放送受信部が文字放送を受信できていないときには受信不可の信号を受信状況表示指令部に加える構成としたことを特徴とする。
【発明の効果】
【００１４】
第１〜第４の発明によれば、文字放送受信操作部を操作して文字放送を受信開始すると、リモコン装置の表示画面に文字放送を受信中である旨の表示がされるので、利用者に、そのことを知らせることができる。しかも、その文字放送を受信中である旨の表示は点滅の形態で表示されるので、利用者は受信開始から例えば３分等の長い間にわたって表示画面に文字放送の文字情報が表示されなくても、受信を制御するコンピュータの回路が故障したと誤判断することは無く、受信の回路が正常に作動していることが分かり、安心して受信が完了するまで待つことができる。
【００１５】
文字放送の受信中である旨の表示は、その表示媒体を動画状態、例えば、アンテナの図柄を時間の経過に伴って電波を探しているように回転させる表示形態で表示させる構成も考えられるが、そのような表示形態にすると、表示の制御構成が複雑となり、装置コストも高くなる。これに対し、本発明においては、表示媒体を点滅表示させる構成としたので、その表示構成は非常に簡易であり、装置コストの削減が可能である。
【００１６】
また、第２の発明によれば、文字放送の受信が完了したときには、自動的にリモコン装置の表示画面に選局した放送局の番組の文字情報が表示されるため、便利である。
【００１７】
さらに、第３の発明によれば、受信不可の時にはその旨が表示画面に表示されるため、いつまでも受信できない状態で受信を続ける無駄を避け、別の放送局の受信動作に円滑に移ることができる。
【００１８】
さらに、第４の発明によれば、文字放送の受信を開始したときから設定時間に達しても受信が完了されないときには受信不可の表示を表示画面にする構成としたので、その設定時間を適切に定めることにより、受信不可の判定結果を適切なタイミングで利用者に知らせることができる。
【発明を実施するための最良の形態】
【００１９】
以下、本発明の実施の形態を図面に基き説明する。図７は給湯装置２７と該給湯装置２７を遠隔操作するリモコン装置１、２とが信号接続されている給湯システムの一例を示す。給湯装置２７は屋外等に設置され、この給湯装置２７の制御装置３に信号接続される風呂リモコン装置１は浴室に設置され、同じく制御装置３に信号接続される台所リモコン装置２は台所に設置される。
【００２０】
給湯装置２７は給湯機能と、浴槽２６への自動湯張り機能と、追い焚き機能と、足し湯機能と、ぬる湯機能とを具備する。この実施形態においては、２芯の信号線を用いて風呂リモコン装置１と台所リモコン装置２は給湯装置２７の回路、つまり、給湯装置２７の燃焼制御回路に接続されている。
【００２１】
図５は本発明に係る風呂リモコン装置１の一実施形態例の外観構成を示すもので、風呂リモコン装置１の筐体ケースの表面側には表示部としての表示画面３２と、リモコンの電源をオン、オフする運転スイッチ３５と、給湯装置２７の追い焚き運転を指示する追い焚きスイッチ３３と、給湯装置２７の自動運転を指示する自動スイッチ３６と、ラジオ放送や文字放送の視聴用の放送スイッチ３７と、通話スイッチ３８と、スピーカ３４と、給湯や湯張りの温度と浴槽水位を設定する設定スイッチ２８ａ、２８ｂと、給湯温度、湯張り温度、浴槽水位等の各設定モードを切り替える選択スイッチ２９と、足し湯スイッチ３０と、ぬる湯スイッチ３１とが設けられている。
【００２２】
スイッチ３５、３３、３６、３７、３８にはランプ３９が設けられており、その各スイッチごとに、スイッチの動作が指示されたとき（オン動作されたとき）にはランプ３９の点灯（又は点滅）表示が行われ、スイッチ動作の解除指示がされたとき（オフ動作されたとき）にはランプ３９は消灯されるように構成されている。また、風呂リモコン装置１の筐体ケースの内部には図示されていないマイクが内蔵されている。
【００２３】
表示画面３２は液晶表示器（ＬＣＤ）や、蛍光表示管（ＶＦＤ）等の画面によって形成され、本実施形態例においては、文字放送の文字情報と給湯装置２７の給湯関連情報とを１つの画面で切り替え表示する構成と成している。給湯関連情報とは例えば、給湯設定温度、湯張り設定温度、湯張り設定水位、風呂温度、湯張り水位、給湯検出温度等の給湯機能の動作と、湯張り機能や保温機能の動作において必要な各種設定値と各種センサ検出値の情報である。
【００２４】
図５の例では、給湯温度表示領域に４１℃の給湯設定温度が、優先表示領域に「優先」の文字で風呂リモコン装置１で設定した給湯の温度が台所リモコン装置２で設定る給湯温度よりも優先される旨の表示が、燃焼表示領域に炎４８のマークを用いて給湯装置２７が燃焼運転している旨の表示が、浴槽水位の表示領域には浴槽を示す絵に設定水位の表示が、湯張り温度の表示領域には浴槽を示す絵の中に４１℃の湯張り設定温度の表示がそれぞれ示されている。なお、表示画面３２には時刻表示領域が設けられており、その表示領域に現在の時刻（図５ではＡＭ１０：００）が示される。
【００２５】
前記給湯設定温度の設定は、選択スイッチ２９によって給湯温度設定モードを選択し、設定スイッチ２８ｂを押すごとに温度を一定温度（例えば１℃）ずつ上昇させ、設定スイッチ２８ａを押すごとに温度を一定温度（例えば１℃）ずつ下降させる操作を行って行われる。同様に、湯張り温度を設定する場合も、選択スイッチ２９によって湯張り温度の設定モードを選択し、設定スイッチ２８ａ、２８ｂを用いて温度を上下調整することにより達成される。湯張りの水位（浴槽水位）を設定する場合も、選択スイッチ２９によって浴槽水位設定モードを選択し、設定スイッチ２８ａを押すごとに水位（又は水量）を単位水位（単位水量）ずつ上昇させ、設定スイッチ２８ａを押すごとに水位（又は水量）を単位水位（単位水量）ずつ下降させる操作を行って行われる。
【００２６】
内蔵のマイクとスピーカ３４は通常は他のリモコン装置との間で会話を行なうときに使用されるもので、例えば、入浴中に風呂リモコン装置１と台所に設置されている台所リモコン装置２との間で、入浴している者が台所にいる者に浴室にタオルを持ってきてもらう等の要請を行うときの会話に使用される。このような会話を行うときに通話スイッチ３８を押すことにより、通話先の台所リモコン装置２に呼び出し音が発せられ、居間や、台所にいる者を呼び出すことができるものである。
【００２７】
運転スイッチ（給湯スイッチ）３５はスイッチオンとすることにより、風呂リモコン装置１の電源がオンされて回路を動作可能な状態にし、スイッチオフとすることにより、回路動作を停止状態とするものである。給湯装置２７の給湯機能の動作はこの運転スイッチ３５がオンの状態で行われる。自動スイッチ３６は湯張り動作から保温動作にかけての一連の動作の開始と停止を指令するものであり、スイッチオンによりその動作が開始し、スイッチオフの状態で動作停止状態となる。放送スイッチ３７はラジオ放送（ＦＭラジオ放送）および文字放送（文字情報）の視聴と視聴停止を指令するものであり、スイッチオンにより、ラジオ放送開始となり表示画面３２は、給湯関連情報の表示から放送番組用の表示に切り替わり、スイッチオフにより放送停止となり、表示画面３２は放送用番組の表示から給湯関連情報の表示に切り替わる。
【００２８】
一例として、スイッチ動作と表示画面３２の表示切替の関係を、さらに、具体的に示せば、次のようである。すなわち、運転スイッチ３５がオンされると、表示画面３２は給湯関連情報の表示となり、この状態で放送スイッチ３７がオンされると、表示画面３２は放送番組用の表示に切り替わる。この状態で、運転スイッチ３５が押されると（スイッチオフ操作されると）、表示画面３２は非表示状態となる。運転スイッチ３５、放送スイッチ３７が順に押されて放送（ラジオや、文字の放送）の動作モードに入った後、再び運転スイッチ３５が押されると（運転オフ操作されると）、放送および給湯運転は共にオフとなる（表示画面３２は非表示状態となる）。また、運転スイッチ３５がオンされずに、いきなり放送スイッチ３７が押されて（オン操作されて）放送の動作モードに入った後に、再び放送スイッチ３７が押されたとき（オフ操作されたとき）には、放送はオフとなるが、運転スイッチ３５を押すと給湯モードとなり、表示画面３２は給湯関連情報の表示となる。
【００２９】
図６は台所リモコン装置２の外観構成を示す。この台所リモコン装置２は、風呂リモコン装置１から足し湯スイッチ３０、ぬる湯スイッチ３１、追い焚きスイッチ３３、放送スイッチ３７を取り除いた構成のものであり、それ以外は風呂リモコン装置１と同様であり、風呂リモコン装置１と共通の構成部分には同一符号を付して重複説明は省略する。
【００３０】
なお、台所リモコン装置２においても、台所リモコン装置２で設定した給湯温度が風呂リモコン装置１で設定した給湯温度（湯張り温度）よりも優先する場合は、台所リモコン装置２の表示画面３２に優先表示が行われる。風呂リモコン装置１と台所リモコン装置２との一方が優先表示されているときには他方側のリモコン装置で給湯設定温度を設定しても優先温度とはならない。他方側のリモコン装置の設定温度に優先温度としての地位を与える場合は、優先表示されている一方側の運転スイッチ３５を一旦オフしてリセットしてから他方側のリモコン装置で給湯温度を設定することにより、その他方側の設定の温度が優先温度として認められ、その他方側のリモコン装置の表示画面３２に「優先」の表示がされ、今まで優先温度となっていた一方側のリモコン装置の表示画面３２に表示されていた「優先」の表示は消去される。
【００３１】
次に、リモコン装置を用いて行なう給湯装置２７の動作の一例を図７に示す給湯装置２７の模式構成に基き簡単に説明する。なお、図７の給湯装置２７の自体の構成は公知であるので、給湯装置自体の構成説明は省略する。
【００３２】
給湯装置２７の給湯機能の動作は、風呂リモコン装置１又は台所リモコン装置２の運転スイッチ３５をオンし、この状態で給湯管路１１の給湯先に設けられている給湯栓（図示せず）を開くことにより開始する。給湯栓の開により、制御装置３は流量センサ４により給水管路５を通水する最低作動流量以上の流量を検出すると、給湯バーナ１０を燃焼し、給湯熱交換器７を通る水を加熱して湯を作成し、その湯を給湯管路１１を通して給湯先へ供給する。
【００３３】
この給湯機能の動作では、制御装置３は入水温度センサ６による入水温と、流量センサ４による給湯量と、給湯温度センサ８による給湯温（出湯温）との検出情報に基き、給湯湯温が台所リモコン装置２（又は風呂リモコン装置１）で設定された給湯設定温度となるようにガス通路９から供給されるガス量を図示されていない比例弁の開弁量によって制御する。給湯動作は給湯先の給湯栓が閉止されることによって終了する。つまり、給湯栓の閉止によって流量センサ４が通水の停止を検出したときに、制御装置３は給湯バーナ１０へのガス供給を遮断し、給湯バーナ１０の燃焼を停止する。
【００３４】
給湯装置２７の自動運転は、湯張り機能の動作、追い焚き機能の動作、保温機能の動作を連続的に行うもので（湯張り完了時の浴槽水温度が湯張り設定温度（風呂設定温度）以上のときは追い焚き機能の動作は行われない）、運転スイッチ３５がオンされている状態で、風呂リモコン装置１（又は、台所リモコン装置２）の自動スイッチ３６をオンすることにより開始する。そうすると、注湯電磁弁１３が開かれ、前記給湯機能の動作と同様に給湯熱交換器７を通る水は給湯バーナ１０の燃焼加熱により湯となり、その湯は、給湯管路１１から注湯路１４に入り、戻り管２３と往管２４を有して構成される追い焚き循環路２５を通して浴槽２６へ落とし込まれる。浴槽２６の水位は水位センサ２０としての圧力センサによって検出され、この検出水位が浴槽の設定水位に達したときに注湯電磁弁１３が閉じられ、湯張り動作が終了する。この湯張りの動作においては、制御装置３は、湯張りの湯温が湯張り設定温度となるように給湯バーナ１０の燃焼量を制御する。
【００３５】
湯張りが完了したときに注湯電磁弁１３が閉じられる。そして、循環ポンプが起動されて浴槽水の温度（湯温）が風呂温度センサ１８によって検出され、検出温度が湯張り設定温度（風呂設定温度）よりも低いときには追い焚き機能の動作が行われる。
【００３６】
追い焚き機能の動作とは、循環ポンプ２１が駆動されて浴槽２６の湯水が追い焚き循環路２５を通して循環されるもので、この循環水が流水スイッチ２２で検知されたときに風呂バーナ１６が燃焼駆動され、追い焚き熱交換器１５を通るときに循環湯水を加熱昇温して浴槽湯水の追い焚きを行う動作である。この追い焚き動作は風呂温度センサ１８が風呂温度を検出し、その検出温度が風呂設定温度に達したときに風呂バーナ１６の燃焼停止と循環ポンプ２１の停止とが行なわれて終了する。
【００３７】
そして、自動運転の動作においては、引き続き保温機能の動作が行なわれる。この保温機能の動作は、所定の時間間隔で、循環ポンプ２１を短時間起動し、浴槽２６の湯を追い焚き循環路２５を通して循環し、風呂温度センサ１８により浴槽２６の湯温（風呂温度）を検出する。風呂（浴槽湯水）の検出温度が風呂の設定温度よりも許容範囲を外れて低下したときには、循環ポンプ２１を駆動して浴槽２６の湯水を追い焚き循環路２５を通して循環しながら、風呂バーナ１６の燃焼により追い焚き熱交換器１５で加熱し、追い焚きを行う。そして、風呂温度センサ１８の検出温度が風呂の設定温度に達したときに循環ポンプ２１を停止し、風呂バーナ１６の燃焼を停止する。このように保温機能の動作（保温動作）は湯張りが終了してから所定の時間（例えば４時間）にわたって行なわれる。保温機能と供に保水機能の動作を行う給湯装置２７においては、水位センサ２０によって浴槽の水位が監視され、浴槽の水位が設定水位から許容範囲を越えて低下したときには注湯電磁弁１３が開けられて給湯熱交換器７側から設定水位に達する不足分の湯量が補充され、浴槽水位を設定水位に維持する保水動作が行なわれる。
【００３８】
風呂リモコン装置１の追い焚きスイッチ３３が押されたときには、前記追い焚き機能の動作が単独の動作として行われる。また、風呂リモコン装置１の足し湯スイッチ３０が押されると、足し湯機能の動作が行われ、湯張り設定温度の湯が一定量（例えば２０リットル）給湯熱交換器７側から浴槽２６へ落としこまれる。さらに、風呂リモコン装置１のぬる湯スイッチ３１が押されると、ぬる湯機能の動作が行われ、給水の水が加熱されずに一定量（例えば１０リットル）給湯熱交換器７側から浴槽２６へ落としこまれる。
【００３９】
なお、図７において、１２は流量センサ、２２は流水スイッチ、１９は循環ポンプ２１の吐出口と追い焚き熱交換器１５の入水口を連通接続する管路、１７は風呂バーナ１６へのガス通路、４９は水量制御弁、５０は分岐路をそれぞれ示している。
【００４０】
図１は、本発明に係るリモコン装置（風呂リモコン装置１）の一実施形態例の文字放送に関する構成を示すもので、風呂リモコン装置１には、文字放送受信部（文字放送受信モジュール）４０と、文字情報書き込み・読み出し部４１と、メモリ４２と、表示制御部４３と、文字放送受信操作部４４と、受信判定部４７と、クロックやタイマ等の時計機構５３と、受信状況表示指令部５４と、表示画面３２とが装備されている。
【００４１】
文字放送受信部４０は、ＦＭ文字放送を受信するために必要な、同調部５５、アンテナ、復調回路、復調回路で復調された信号から文字情報を分離する回路等を有しており、これらの回路構成は、特許文献１、３等に示されているように、公知であるので、その回路構成の説明は省略する。文字放送局では、台風、地震、飛行機事故等の緊急事故（緊急災害）が発生したときには、その緊急文字情報を通常の文字情報に多重して送信しており、文字放送受信部４０はこれらの緊急文字情報を受信したときには通常の文字情報と緊急文字情報とを分離する回路を有している。なお、文字放送受信部４０はＦＭラジオ放送をも受信し、風呂リモコン装置１の回路基板にはその受信したラジオ放送をスピーカ３４から流すラジオの回路を備えているが、このようなラジオの回路は周知であるのでその回路構成の図示は省略する。
【００４２】
また、文字放送受信部４０の同調部５５は文字放送受信操作部４４から放送局選択操作部４５で選択設定された放送局の選択指定信号を受けて、受信周波数をその選択指定された放送局の放送周波数に同調（チューニング）して選局された放送を受信する構成を有している。このような、同調回路も周知であるので、その回路構成の説明は省略する。
【００４３】
文字情報書き込み・読み出し部４１は、文字放送受信部４０が受信した文字情報をメモリ４２の所定の位置に書き込むとともに、読み出し指令を受けてその指令された文字情報をメモリ４２から読み出す機能を備えている。なお、文字情報書き込み・読み出し部４１は、文字放送受信部４０が緊急文字情報を受信したときには、通常の文字情報と緊急文字情報とをメモリ４２のそれぞれ所定の領域に区別して格納する構成と成している。メモリ４２は例えば情報の書き込みと読み出しが可能な不揮発性メモリによって構成されている。なお、実際には、メモリは複数用いられるが、ここでは便宜上、１つのブロックで代表させている。
【００４４】
文字放送受信操作部４４は、文字放送の選局の選択指定操作を行うための放送局選択操作部４５と、文字放送を選局した場合にその放送局の番組を選択指定操作するための番組選択操作部４６とを有している。なお、この実施の形態例では、放送局選択操作部４５はラジオの放送局の選択指定も行う構成と成している。これら放送局選択操作部４５と番組選択操作部４６の操作による信号は文字放送受信部４０と、受信状況表示指令部５４と、表示制御部４３に加えられている。
【００４５】
本実施形態例では、給湯装置２７の遠隔操作用のスイッチ２８ａ、２８ｂ、２９、３０、３１を放送用の各種操作用スイッチとして兼用させており、選択スイッチ２９はラジオ放送の選局と文字放送の選局を選択指定する放送局選択操作部４５のスイッチとして機能させるとともに、文字放送のモード（文字放送モード）を選択指定するスイッチとしても機能させ、足し湯スイッチ３０とぬる湯スイッチ３１は番組を選択指定する番組選択操作部４６のスイッチとして機能させている。なお、設定スイッチ２８ａ、２８ｂはラジオ放送の音量調整スイッチとして機能させ、設定スイッチ２８ａを押すごとに音量が定音量ずつ低くなり、設定スイッチ２８ｂを押すごとに、音量が定音量ずつ高くなる構成と成している。
【００４６】
本実施形態例では文字放送モードとして、例えば、番組連動モード、自動番組モード、番組繰り返しモード、緊急情報番組モードを有している。番組連動モードは、ラジオの番組と連動した文字情報を表示画面３２に表示させる動作モードであり、例えば、ラジオの歌番組の歌に合せて歌詞、曲名、歌手名を表示画面３２に表示させるものである。自動番組モードは、選定した文字放送局がサービスしている全ての番組を順番に表示する動作モードである。番組の例として、ニュース番組、スポーツ番組、ビジネストレンド番組、天気番組、交通情報番組、占い番組、うわさのパラダイス番組、ランキング情報番組等がある。
【００４７】
番組繰り返しモードは選択された番組の文字情報を繰り返し表示画面３２に表示する動作モードである。例えば、ニュース番組が選択されたときには、そのニュース番組の文字情報を繰り返し表示するものである。緊急情報番組モードは地震、津波、台風、飛行機事故、列車転覆事故等の突発的に生じる情報を知らせる緊急文字情報を表示画面３２に表示させる動作モードである。
【００４８】
本実施形態例では、図４に示すように、これらの各文字放送モードに一対一に対応したマークが設定されて適宜の位置、例えば、メモリ４２に与えられ、表示制御部４３は選定された文字放送モードのマークを文字情報と共に予め定められた表示画面３２の表示領域に表示する構成と成している。
【００４９】
受信判定部４７は文字放送受信操作部４４の放送局選択操作部４５で選択指定された文字放送の選局情報を受け、その選局された文字放送の受信の可否（合否）を文字放送受信部４０の受信状況を検知して判定する。例えば、文字情報の１フレームの文字データの数を３１とし、３１の全ての数のデータ（１又は０の数値のデータ）が正常ならば受信が正常に行われた（文字放送が受信できた）と判定し、それ以外は受信が正常に行われていないので受信可否の判定を継続する。その一方において、受信判定部４７は受信可否の判定開始時から（放送局選択操作部４５から選局指定信号が加えられたときから）の経過時間を時計機構５３に測定させ、予め与えられた設定時間（例えば３分）を経過しても正常な受信状態が判定されないときは受信不可の判定を行う。そして、判定結果の信号を受信状況表示指令部５４に加える。
【００５０】
受信状況表示指令部５４は受信判定部４７による受信可否の判定結果の信号を受け、表示制御部４３にその判定結果に応じた表示の指令を行う。すなわち、文字放送受信部４０が受信開始してから受信ができた旨の判定および受信不可の判定のいずれの結果も受信判定部４７から加えられていない間は受信中である旨の表示指令を行い、受信判定部４７から受信ができた旨の判定結果の信号を受けたときには選局した文字放送の文字情報の表示指令を行い、受信判定部４７から受信不可の判定結果の信号を受けたときには、受信不可の表示を指令する。
【００５１】
表示制御部４３は表示画面３２へ各種情報の表示を制御するもので、非点滅表示制御部５１と、点滅表示制御部５２とを有し、非点滅表示制御部５１は文字情報表示制御部５６と受信不可表示制御部５７とを有している。文字情報表示制御部５６は受信状況表示指令部５４から文字情報の表示指令を受けて、表示画面３２に文字放送受信操作部４４で選局された放送局の選択指定された番組を選択指定された放送モードで表示させる（表示制御する）。図２（ａ）はこの文字情報の表示形態の一例であり、表示画面３２に選局された放送局のニュース番組が番組連動モードで文字情報の表示媒体である文字を非点滅の形態で表示制御している例を示している。この実施形態例では、文字を大きく表示するために、文章の文字が画面の一方側から他方側へ（図示の例では右側から左側へ）流れていくスクロール方式で表示する表示制御形態を採用している。
【００５２】
表示制御部４３の受信不可表示制御部５７は受信状況表示指令部５４から受信不可の表示指令を受けて、表示画面３２に受信不可を示す表示媒体を非点滅状態で、かつ、非スクロール方式で表示制御する。例えば、表示媒体の文字を非点滅形態で「受信できませんでした」という文章で表示画面３２に非スクロール方式で表示させる（表示制御する）。
【００５３】
また、表示制御部４３の点滅表示制御部５２は、受信状況表示指令部５４から受信中である旨の表示指令を受けて、表示画面３２に受信中であることを示す表示媒体を点滅の表示形態で、かつ、非スクロール方式で表示させる（表示制御する）。例えば、表示媒体の文字を点滅形態で図２（ｂ）に示すように「文字放送受信中です」という文章を非スクロール方式によって表示する（表示制御する）。
【００５４】
なお、表示画面３２は表示制御部４３の表示制御に従い、情報を画面に表示するデスプレイ機能を有している。
【００５５】
本実施形態例のリモコン装置（風呂リモコン装置）は上記のように構成されており、次に、放送視聴の動作を簡単に説明する。運転スイッチ３５がオンされている状態では、風呂リモコン装置１の電源がオンされ、放送スイッチ３７をオン操作することにより文字放送局の選局が可能な状態となる。文字放送局の選局は文字放送受信操作部４４の放送局選択操作部４５を操作して行う。具体的には放送局選択操作部４５の操作スイッチとして機能しているスイッチ２９、３０、３１を操作して行う。すなわち、選択スイッチ２９を操作して例えばオート選局モードを選択し、ぬる湯スイッチ３１を押すごとに予め登録されている放送局が順次切り替わり、足し湯スイッチ３０を押して行くと、放送局が順次逆方向に切り替わるので、足し湯スイッチ３０とぬる湯スイッチ３１を操作して予め登録されている複数の放送局から１つの放送局を選局する。
【００５６】
或いは、選択スイッチ２９を操作してマニュアル選局モードを選択し、足し湯スイッチ３０とぬる湯スイッチ３１を操作して受信したい放送局の受信周波数を設定する。すなわち、ぬる湯スイッチ３１を押すと選局の周波数が高くなる方向に変化し、足し湯スイッチ３０を押すと選局の周波数が低くなる方向に変化して行くので、足し湯スイッチ３０とぬる湯スイッチ３１を操作することにより、放送局の選局をマニュアル操作で行うことができる。（ラジオ放送の選局の操作も文字放送のオート選局およびマニュアル選局と同様である）。
【００５７】
文字放送受信部４０の同調部５５は放送局選択操作部４５で選択指定された選局の情報を受け、選局指定された放送局の電波受信の同期（チューニング）を行い、選局指定された放送局の受信を開始する。そうすると、受信判定部４７は受信開始を起点とした経過時間の計測を時計機構５３に行わせ、文字放送受信部４０の受信状況を検知（監視）し、受信が正常に行われたか否かを判定する。受信が正常に行われたときにはその旨の判定結果を受信状況表示指令部５４に加える。受信が正常に行われないときには繰り返し受信が正常に行われたか否かを判定し続け、時計機構５３の経過時間の計測信号に基き、受信開始から予め与えられた設定時間（例えば３分）が経過しても受信が正常に行われなかったときには受信不可の判定結果を受信状況表示指令部５４に加える。
【００５８】
受信状況表示指令部５４は文字放送受信操作部４４から文字放送受信部４０に選局の選択指定信号が加えられたことを検知して（文字放送受信操作部４４から文字放送受信部４０に選局の選択指定信号を加えた旨の信号を受けて）、或いは文字放送受信部４０から受信を開始した旨の信号を受けて、受信開始と同時に表示制御部４３の点滅表示制御部５２に文字放送を受信中である旨の表示指令を加える。この指令を受けて、表示制御部４３（点滅表示制御部５２）は図２（ｂ）に示されるように、表示画面３２に文字媒体で「文字放送受信中です」という文章を点滅表示する。
【００５９】
また、受信状況表示指令部５４は受信判定部４７から受信が正常にできた旨の判定結果の信号を受けたときには、表示制御部４３（詳しくは表示制御部４３の文字情報表示制御部５６）に受信できた文字放送局の文字情報の表示指令を加える。この指令を受けて表示制御部４３の文字情報表示制御部５６は受信された放送局の文字情報を例えば先頭の番組から順次表示画面３２に非点滅の形態で表示する（文字放送は複数の番組が予め定められた順序で連続的に繰り返し放送されている）。図２（ａ）はこのようにして表示画面３２に受信された放送局の文字情報が表示されている例を示している。
【００６０】
なお、選局された文字放送が正常に受信されたときには、文字放送受信部４０によって受信された文字放送の文字情報は文字情報書き込み・読み出し部４１によって、メモリ４２に格納される。そしてメモリ４２に格納された文字情報は表示制御部４３の指令によって文字情報書き込み・読み出し部４１によって読み出され、表示制御部４３の表示制御によって表示画面３２に表示される。
【００６１】
また、受信状況表示指令部５４は受信判定部４７から受信不可の判定結果の信号を受けたときには、表示制御部４３（詳しくは表示制御部４３の受信不可表示制御部５７）に受信不可の表示指令を加える。この指令を受けて受信不可表示制御部５７は表示画面３２に文字を表示媒体して、例えば、「受信できません」という受信不可を示す文章を非点滅の形態で表示する。
【００６２】
なお、放送局が選局されてからその選局の変更が無い場合は、放送スイッチ３７をオン操作して放送視聴の動作モードとすることにより、改めて選局の操作を要せずに同じ放送局の放送を視聴できるが、放送局の選局や、文字放送の番組を変更する場合には変更の操作を行うことが必要であり、その動作について以下に簡単に説明する。
【００６３】
例えば、図５に示されるように、風呂リモコン装置１の表示画面３２が給湯関連情報を表示している動作モード状態で、放送スイッチ３７が押されると、表示画面３２に既に選局されている周波数が表示され、その周波数のラジオ放送がスピーカ３４から流れる。音量は設定スイッチ２８ａ、２８ｂを操作することによって調整される。
【００６４】
選局モードを変更する場合は、選択スイッチ２９を押して動作モードを変更する。一例として、選択スイッチ２９を押す毎に、オート選局モード、マニュアル選局モード、文字放送の番組連動モード、文字放送の自動番組モード、文字放送の番組繰り返しモード、文字放送の緊急情報番組モードという如く動作モードが順次切り替えられ、最後に元の動作モードに戻る。選択スイッチ２９を操作してオート選局モードを選択し、ぬる湯スイッチ３１を押すごとに予めメモリ４２に記憶されているラジオ放送局名が順次表示画面３２に表示され、足し湯スイッチ３０を押して行くと、放送局名が逆方向に順次表示画面３２に表示されるので、ぬる湯スイッチ３１と足し湯スイッチ３０を操作することにより、放送局を変更設定できる。
【００６５】
図３はオート選局モードによって、選局（又は選局変更）された表示画面３２の表示状態を示しており、表示画面３２には選局されたラジオ放送局の局名（ＴＯＫＹＯ  ＦＭ）と、その番組を示すチャンネル番号（ＣＨ１）と、オート選局モードの表示（ＣＨ）が表示されている。
【００６６】
マニュアル選局モードによって放送局を選局する場合は、選択スイッチ２９を操作してマニュアル選局モードを選択する。そうすると表示画面３２に、現在選局されている局の周波数とマニュアル選局モードの表示（Ｈｚ）が表示される。この状態で、ぬる湯スイッチ３１を押すと周波数が高くなる方向に変化し、足し湯スイッチ３０を押すと周波数が低くなる方向に変化して行くので、足し湯スイッチ３０とぬる湯スイッチ３１を操作することにより、放送局の選局変更を行うことができる。
【００６７】
文字放送の選局を変更する場合は、前記ラジオ放送局の選局変更と同じ操作を行うことにより、選局変更の操作が行われる。この文字放送の選局変更の操作は実質的には最初に文字放送の選局指定を行う操作と同じであるので、選局変更したい文字放送の放送局が放送局選択操作部４５により指定されたときに、受信判定部４７によって受信可否の判定が行われると共に、受信状況表示指令部５４から受信状況に応じた表示の指令が（受信中の表示指令、受信できたことの表示指令、受信不可の表示指令）が表示制御部４３に加えられ、表示画面３２にその指令に応じた受信状況が、最初の選局選択指定の場合と同様に行なわれる。そして、受信が正常にできたときには、既に選択指定されている文字放送モードで既に選択指定（選択設定）されている番組の文字情報が表示画面３２に表示される。
【００６８】
文字放送の放送モードを変更したい場合は、選択スイッチ２９を操作して放送モードを変更すればよく、文字放送の番組を変更する場合は、ぬる湯スイッチ３１を順次押して行くと、番組名がニュース、スポーツ、ビジネストレンド、天気、交通情報、・・・、という如く表示画面３２に表示されながら順次切り替わり、足し湯スイッチ３０を押して行くと、同様に番組名が表示画面３２に表示されながら順次逆方向に切り替わるので、足し湯スイッチ３０とぬる湯スイッチ３１を操作して好みの番組を選択指定（選択変更）する（仕様によっては、特定の放送モードにおいては番組の変更はできないようにすることも可能である）。図２の例では、番組連動モードが選択された状態のもとで、表示画面３２にニュース番組の文字情報が表示されており、同じ画面上に番組連動モードを示す「ＬＩＮＫ」のマークが表示されている。番組繰り返しモードのもとで、そのニュース番組が表示画面３２に表示される場合は、その番組繰り返しモードを示すマーク（図４参照）が表示される。
【００６９】
なお、緊急文字情報が突発的に送信されてきたときには、緊急文字情報検出部４４がそれを検出して緊急文字情報が受信されていることを知らせる表示のマーク「！」が図２に示されるように通常番組の文字情報の表示画面上に表示される。このマークを見て、文字情報を見ている者は、緊急文字情報が受信されていることを知ることができる。緊急文字情報を見る操作が行われないときには、そのまま通常の文字放送の番組が継続して行く。
【００７０】
利用者が「！」のマークを見て、緊急文字情報の内容を知りたいときには、選択スイッチ２９（緊急情報表示スイッチ５２）を操作して緊急情報番組モードを選択する。そうすると、表示画面３２の表示が切り替わり、表示画面３２に緊急文字情報（地震、津波、飛行機事故、列車転覆事故、台風等の緊急文字情報）が表示される。
【００７１】
放送スイッチ３７が押されて（オフ操作されて）放送が消されたときには、表示画面３２は図５に示されるような給湯関連情報の表示モードとなる。スイッチ操作がされない時間が所定時間経過したときには省電力モードとなって、表示画面３２の表示の電源がオフとなり、表示画面３２には時計の時刻表示以外は表示されない状態となる。
【００７２】
本実施形態例によれば、文字放送を選局して受信する際に、受信期間中はその受信中である旨の表示が表示画面３２に表示されるので、利用者は受信操作後に文字放送の文字情報が表示画面３２に表示されない状況が生じても、それは故障ではなく、文字放送受信部４０が受信している最中であることを知ることができ、しかも、その受信中の表示は点滅表示であるため、利用者はその点滅を見て、制御を行うコンピュータ回路が正常に作動していることを理解でき、安心して受信可否の結果を待つことができる。
【００７３】
また、選局指定された放送局の受信が正常に行われない状況が設定時間続いたときには受信不可の判定がされてその受信不可の表示が表示画面３２に表示されるので、利用者は受信ができない状態で長く待たされることが無く、その受信不可の表示を見て別の放送局の選局を行なう等の的確な処置を講じることができる。
【００７４】
また、本実施形態例においては、表示画面３２を給湯関連情報の表示用と放送の表示用とに兼用させているので、給湯関連情報の表示用と放送の表示用とを別個の画面とする場合に比べ、画面面積を大きくでき、その分、文字情報を見易い大きい字で表示できるので、利用性に優れたものとなる。
【００７５】
さらに、給湯関連のリモコン操作に使用する各種のスイッチ２８ａ、２８ｂ、２９、３０、３１を文字放送の操作スイッチとして兼用させているので、風呂リモコン装置に装備するスイッチの数を少なくすることができ、その分、リモコン装置の装置構成の複雑化を避け、外観も煩雑でないすっきりした形態となる上に、部品点数の低減に伴うコスト削減を図ることが可能である。
【００７６】
本発明は上記実施形態例に限定されることなく、様々な実施の形態を採り得る。例えば、上記実施形態例では、受信不可表示制御部５７を非点滅表示制御部５１側の回路として形成し、受信不可の表示は表示画面３２に非点滅表示としたが、受信不可表示制御部５７を点滅表示制御部５２側の回路として設け、受信不可表示制御部５７によって受信不可の表示を表示画面３２に点滅の形態で表示するようにしてもよい。
【００７７】
また、上記実施形態例では、表示画面３２への表示媒体を文字としたが、表示媒体は、マーク、図柄、記号、符号、その他の文字以外の表示媒体であってもよい。
【００７８】
さらに、上記実施形態例では受信中と受信不可の表示画面３２への表示は非スクロール方式としたが、いずれか一方又は両方の表示をスクロール方式としてもよい。例えば、受信中を示す表示をスクロール方式で表示する場合は、その表示媒体（上記実施形態例では文字）が流れて表示されるので、点滅表示させない場合においても、制御を行なうコンピュータ回路がフリーズしていないことを利用者に知らせることができる。
【００７９】
さらに、上記実施形態例では、最初に文字放送の選局を行う場合、最初に選局した文字放送局が受信されたときには、その文字放送局が提供している文字放送の全番組を先頭から表示画面３２に表示させるようにしたが（文字放送モードを自動番組モードとして表示させるようにしたが）、例えば、全番組で無く先頭の番組や、ニュース番組という如く、予め定めた特定の番組を表示させるようにしてもよく、あるいは、選局指定された文字放送が受信された旨を受信状況表示指令部５４の指令に基き表示画面３２に表示させ、その状態で、利用者が文字放送モード（番組モード）と番組の指定を文字放送受信操作部４４を操作して完了したときに、表示制御部４３がその指定された文字放送モードの指定された文字放送の番組を表示画面３２に表示する構成としてもよい。
【００８０】
さらに、上記実施形態例では、風呂リモコン装置１にラジオ放送および文字放送の回路を設けたが、台所リモコン装置２に風呂リモコン装置１に設けた放送受信の回路やスイッチを設けてラジオ放送や文字放送を受信視聴する構成としてもよい。勿論、台所や浴室以外の場所にリモコン装置を設ける場合も同様にラジオ放送や文字放送を受信視聴する構成としてもよい。
【００８１】
さらに、上記実施形態例では、給湯関連情報の操作スイッチを放送用のスイッチとして兼用させたが、給湯関連情報の操作スイッチと放送用のスイッチの一部又は全部を別個に設けてもよい。また、表示画面も給湯関連の表示用と放送の表示用を別個に設けてもよい。
【００８２】
さらに、上記実施形態例ではリモコン装置が接続される給湯装置はガスを燃料とした装置としたが石油を燃料とした給湯装置でもよく、又は、電気温水器等でもよい。また、給湯装置は給湯機能、湯張り機能、保温機能、保水機能、追い焚き機能を具備しているが、これらの全ての機能を具備していなくてもよく、他の機能を具備していてもよく、少なくとも給湯機能を具備していればよい。
【００８３】
さらに、上記の実施形態例では、文字放送受信部４０はリモコン装置に形成したが、この回路４０は給湯装置２７側、より具体的には給湯装置２７の制御装置３側に形成してもよく、また、必要に応じ、表示画面３２と各種スイッチを除いた回路の一部又は全部を同様に制御装置３側に形成してもよい。
【００８４】
さらに、表示画面３２の文字情報の表示はスクロール方式としたが、例えば、文章の全文を一括表示する方式としたり、文章を区切って順次区切った文章を表示する方式とする等、スクロール以外の構成でもよい。
【００８５】
さらに、文字放送受信部４０は一度受信したニュース等を蓄えるＲＡＭや文字フォントを記憶するＲＯＭと一体のものとしてもよい。
【００８６】
さらに、上記の各実施形態例では文字情報を表示画面３２に表示するようにしたが、文字情報以外に画像情報、ｗｅｂ情報などを表示してもよい。
【００８７】
さらに、上記の各実施形態例では、文字放送はＦＭ多重文字放送としたが、本発明はＡＭ多重文字放送や、ＴＶ多重文字放送にも適用でき、これらの各多重文字放送の文字情報を表示画面３２に表示する構成としてもよい。
【図面の簡単な説明】
【００８８】
【図１】本発明に係るリモコン装置の一実施形態例のブロック構成図である。
【図２】リモコン装置の表示画面の情報表示形態を示す本実施形態例の動作説明図である。
【図３】ラジオ放送のオート選局モードでの選局動作時におけるリモコン装置表示画面の表示形態の説明図である。
【図４】各文字放送モードと各マークとの対応関係を示す説明図である。
【図５】風呂リモコン装置の表示画面に給湯関連情報が表示されている状態を示す図である。
【図６】台所リモコン装置の表示画面に給湯関連情報が表示されている状態を示す図である。
【図７】モデル例の給湯装置２７とリモコン装置１、２との接続使用状況のを示す図である。
【符号の説明】
【００８９】
１      リモコン装置（風呂リモコン装置）
２７    給湯装置
３２    表示画面
４０    文字放送受信部
４１    文字情報書き込み・読み出し部
４２    メモリ
４３    表示制御部
４４    文字放送受信操作部
４５    放送局選択操作部
４６    番組選択操作部
４７    受信判定部
５１    非点滅表示制御部
５２    点滅表示制御部
５３    時計機構
５６    文字情報表示制御部
５７    受信不可表示制御部
【図１】
2006183964.tif 000003
【図２】
2006183964.tif 000004
【図３】
2006183964.tif 000005
【図４】
2006183964.tif 000006
【図５】
2006183964.tif 000007
【図６】
2006183964.tif 000008
【図７】
2006183964.tif 000009